(57)【要約】【課題】  ガラス天板を簡単に取付可能なテーブルを提供する。【解決手段】  テーブル本体と、該テーブル本体の周縁に回転自在に設けられる複数本の支持ロッドと、該テーブル本体に取付ける円形のガラス天板とを備えるテーブルであって、前記テーブル本体にガラス天板を取付けるために円形の取付孔が形成され、該取付孔の内縁にリング台座が設けられ、該リング台座に少なくとも一つの貫通孔が形成され、前記ガラス天板に前記リング台座の貫通孔に対応するＬ字形の係合金具が設けられ、該係合金具は、ガラス天板に接着する接着ロッドと、前記貫通孔を通じてテーブル本体の下面に移動可能な係合プレートを有し、該係合プレートの上面からガラス天板の下面までの距離は、リング台座の厚さより大きいことを特徴とする。【選択図】  図２
0003129224.tif 000002
【実用新案登録請求の範囲】
【請求項１】
テーブル本体と、該テーブル本体の周縁に回転自在に設けられる複数本の支持ロッドと、該テーブル本体に取付ける円形のガラス天板とを備えるテーブルであって、
前記テーブル本体にガラス天板を取付けるために円形の取付孔が形成され、該取付孔の内縁にリング台座が設けられ、該リング台座に少なくとも一つの貫通孔が形成され、
前記ガラス天板に前記リング台座の貫通孔に対応するＬ字形の係合金具が設けられ、該係合金具は、ガラス天板に接着する接着ロッドと、前記貫通孔を通じてテーブル本体の下面に移動可能な係合プレートを有し、該係合プレートの上面からガラス天板の下面までの距離は、リング台座の厚さより大きいことを特徴とするテーブル。
【請求項２】
前記係合プレートの上面に凹部が形成されると共に、該凹部に軟質の係合ブロックが設けられることを特徴とする請求項１に記載のテーブル。
【請求項３】
前記リング台座の上面からテーブル本体の上面までの距離はガラス天板の厚さと等しいことを特徴とする請求項１又は２に記載のテーブル。
【考案の詳細な説明】
【技術分野】
【０００１】
本考案は、特にガラス天板を簡単に取付可能なテーブルに関するものである。
【背景技術】
【０００２】
従来のガラス天板を有するテープルは、例えば特開２００６−１９２２４０号「テーブル」と、特開２００１−３２１２２７号「テーブル」に開示されるように、設置孔を有するテーブル本体を有し、該設置孔に固定具によりガラス天板が設けられる。
【特許文献１】特開２００６−１９２２４０号「テーブル」
【特許文献２】特開２００１−３２１２２７号「テーブル」
【考案の開示】
【考案が解決しようとする課題】
【０００３】
しかしながら、前記テーブルの固定具は、ねじ、ボルト及びナットなどであり、これらの固定具によりガラス天板をテーブル本体の設置孔に取付する際、ねじやボルトを回転しなければならなく、回転しすぎると、ガラス天板に過大な圧力を施すことにより、ガラス天板を割れてしまう問題が発生しやすい。又、螺合の力が足りない場合、ガラス天板の揺れ問題が発生しやすい。更に、前記固定具を回転する際、ドライバーなどの工具を必要があるので、ガラス天板の取付には非常に不便である。
【０００４】
そこで、案出されたのが本考案であって、ガラス天板を簡単に取付可能なテーブルを提供することを目的としている。
【課題を解決するための手段】
【０００５】
本願の請求項１の考案は、テーブル本体と、該テーブル本体の周縁に回転自在に設けられる複数本の支持ロッドと、該テーブル本体に取付ける円形のガラス天板とを備えるテーブルであって、
前記テーブル本体にガラス天板を取付けるために円形の取付孔が形成され、該取付孔の内縁にリング台座が設けられ、該リング台座に少なくとも一つの貫通孔が形成され、
前記ガラス天板に前記リング台座の貫通孔に対応するＬ字形の係合金具が設けられ、該係合金具は、ガラス天板に接着する接着ロッドと、前記貫通孔を通じてテーブル本体の下面に移動可能な係合プレートを有し、該係合プレートの上面からガラス天板の下面までの距離は、リング台座の厚さより大きいことを特徴とするテーブル、を提供する。
【０００６】
本願の請求項２の考案は、前記係合プレートの上面に凹部が形成されると共に、該凹部に軟質の係合ブロックが設けられることを特徴とする請求項１に記載のテーブル、を提供する。
【０００７】
本願の請求項３の考案は、前記リング台座の上面からテーブル本体の上面までの距離はガラス天板の厚さと等しいことを特徴とする請求項１又は２に記載のテーブル、を提供する。
【考案の効果】
【０００８】
本考案は上記の課題を解決するものであり、テーブル本体の取付孔に貫通孔を有するリング台座が設けられ、該ガラス天板の下面に該貫通孔を通じてリング台座を挟持する可能な係合金具が設けられることにより、ガラス天板を簡単に取付ことが達成できる。
【考案を実施するための最良の形態】
【０００９】
以下、添付図面を参照して本考案の好適な実施の形態を詳細に説明する。尚、下記実施例は、本考案の好適な実施の形態を示したものにすぎず、本考案の技術的範囲は、下記実施例そのものに何ら限定されるものではない。
【００１０】
図１は本考案に係るテーブルの斜視図であり、図２は本考案に係るテーブルの分解斜視図であり、図３は本考案に係るテーブルの部分平面図であり、図４は本考案に係るテーブルにおけるガラス天板の係合状態を示す部分平面図であり、図５は本考案に係るテーブルにおけるガラス天板の係合状態を示す部分断面図である。
【００１１】
図１及び図２に示すように、本考案に係るテーブルは、テーブル本体（１０）と、該テーブル本体（１０）の周縁に回転自在に設けられる複数本の支持ロッド（１１）と、該テーブル本体（１０）に取付ける円形のガラス天板（２０）とを備え、  
該テーブル本体（１０）にガラス天板（２０）を取付けるために円形の取付孔（１００）が形成され、該取付孔（１００）の内縁にリング台座（１０１）が設けられ、該リング台座（１０１）の上面からテーブル本体（１０）の上面までの距離はガラス天板（２０）の厚さと等しく、該リング台座（１０１）に少なくとも一つの貫通孔（１０２）が形成され、  
該ガラス天板（２０）に前記リング台座（１０１）の貫通孔（１０２）に対応するＬ字形の係合金具（２１）が設けられ、該係合金具（２１）は、ガラス天板（２０）に接着する接着ロッド（２１０）と、前記貫通孔（１０２）を通じてテーブル本体（１０）の下面に移動可能な係合プレート（２１１）を有し、該係合プレート（２１１）の上面からガラス天板（２０）の下面までの距離は、リング台座（１０１）の厚さよりやや大きく、又、該係合プレート（２１１）の上面に凹部（２１２）が形成されると共に、該凹部（２１２）に軟質の係合ブロック（２１３）が設けられる。
【００１２】
図２乃至図４に示すように、本考案に係るテーブルを組合する際、先ずガラス天板（２０）をテーブル本体（１０）の取付孔（１００）におけるリング台座（１０１）に設置させ、該ガラス天板（２０）の下面に接着される係合金具（２１）の係合プレート（２１１）がリング台座（１０１）の貫通孔（１０２）を通じてテーブル本体（１０）の下面に移動し、次にガラス天板（２０）を回転させ、係合プレート（２１１）を貫通孔（１０２）と位置ずれ、リング台座（１０１）がガラス天板（２０）と係合プレート（２１１）との間に挟持されることにより、ガラス天板（２０）を位置決めする。
【００１３】
又、図２及び図５に示すように、本考案に係るテーブルの係合プレート（２１１）に軟質の係合ブロック（２１３）が設けられるので、リング台座（１０１）をガラス天板（２０）と係合プレート（２１１）との間に挟持する際、ガラス天板（２０）の揺れ問題を防止できる。
【産業上の利用可能性】
【００１４】
本考案は上記の構成を有するので、テーブル本体の取付孔に貫通孔を有するリング台座が設けられ、該ガラス天板の下面に該貫通孔を通じてリング台座を挟持する可能な係合金具が設けられることにより、ガラス天板を簡単に取付ことが達成できる。
【図面の簡単な説明】
【００１５】
【図１】本考案に係るテーブルの斜視図である。
【図２】本考案に係るテーブルの分解斜視図である。
【図３】本考案に係るテーブルの部分平面図である。
【図４】本考案に係るテーブルにおけるガラス天板の係合状態を示す部分平面図である。
【図５】本考案に係るテーブルにおけるガラス天板の係合状態を示す部分断面図である。
【符号の説明】
【００１６】
１０        テーブル本体
１００      取付孔
１０１      リング台座
１０２      貫通孔
１１        支持ロッド
２０        ガラス天板
２１        係合金具
２１０      接着ロッド
２１１      係合プレート
２１２      凹部
２１３      係合ブロック
【図１】
0003129224.tif 000003
【図２】
0003129224.tif 000004
【図３】
0003129224.tif 000005
【図４】
0003129224.tif 000006
【図５】
0003129224.tif 000007